(57)【要約】【課題】新たな製造工程を追加することなく、隔壁の上部面における反射光を低減して表示画像のコントラストを改善することができるプラズマディスプレイパネルを提供する。【解決手段】走査電極２２と維持電極２３とで対をなすストライプ状の表示電極対と、縦光吸収層２６ａと横光吸収層２６ｂとで格子状に形成された光吸収層と、それらを覆う誘電体層と保護層とが形成された前面板と、データ電極と、その上を覆う下地誘電体層と、データ電極と平行な方向に延びる縦隔壁３４ａと縦隔壁３４ａに交差する横隔壁３４ｂとからなる格子状の隔壁３４とが形成された背面板とを、走査電極２２および維持電極２３とデータ電極とが直交するように、かつ縦隔壁３４ａ上に縦光吸収層２６ａが、横隔壁３４ｂ上に横光吸収層２６ｂがそれぞれ配置されるようにして対向配置する。【選択図】図５
2007134264.tif 000002
【特許請求の範囲】
【請求項１】
第１の基板上に平行に配置され、表示電極対を構成する複数の走査電極および維持電極と、
前記走査電極および前記維持電極を覆う誘電体層と、
前記誘電体層を覆う保護層と、
放電空間を挟んで前記第１の基板に対向配置された第２の基板上に前記走査電極と交差する方向に配置される複数のデータ電極と、
前記データ電極を覆う絶縁層と、
前記絶縁層上に配置され前記放電空間を区画し前記データ電極と前記表示電極対とを有する放電セルを形成する隔壁とを有し、
前記第１の基板において、隣接する放電セルと放電セルとの境界上に格子状の光吸収層を配置したこと
を特徴とするプラズマディスプレイパネル。
【請求項２】
前記隔壁は、データ電極と平行な方向に延びる縦隔壁と、前記縦隔壁と交差するように設けられた横隔壁とによって格子状に形成され、
前記光吸収層は、前記縦隔壁上および前記横隔壁上に沿って格子状に形成したこと
を特徴とする請求項１記載のプラズマディスプレイパネル。
【請求項３】
前記光吸収層は、前記縦隔壁上または前記横隔壁上から前記放電セル上の領域に延長されるように形成したこと
を特徴とする請求項２記載のプラズマディスプレイパネル。
【発明の詳細な説明】
【技術分野】
【０００１】
本発明は、壁掛けテレビや大型モニターに用いられるプラズマディスプレイパネルに関する。
【背景技術】
【０００２】
ＡＣ型として代表的な交流面放電型プラズマディスプレイパネル（以下、「ＰＤＰ」と略記する）は、ガラス基板からなる前面板と背面板とを、間隙に放電空間を形成するように対向配置し、その外周部をガラスフリット等の封着材によって封着することにより構成されている。
【０００３】
図１０は、従来のＰＤＰ１の構造を示す斜視図である。図１０に示すように、ガラス製の前面板２０上には、ストライプ状の走査電極２２とストライプ状の維持電極２３とで対をなす表示電極が複数形成されている。また、走査電極２２は、透明電極２２ａの上に金属母線２２ｂが積層されて形成され、維持電極２３は、透明電極２３ａの上に金属母線２３ｂが積層されて形成されている。
【０００４】
表示電極対と表示電極対との間には、ＰＤＰ１の表示面に画像を発光表示する際のコントラストを高めるために、黒色材料からなる光吸収層２６が設けられている。そして走査電極２２および維持電極２３と光吸収層２６とを覆うように誘電体層２４が形成され、その誘電体層２４上に保護層２５が形成されている。
【０００５】
ガラス製の背面板３０上には、複数のストライプ状のデータ電極３２と、データ電極３２を覆う下地誘電体層３３とが形成されている。また、下地誘電体層３３上にはデータ電極３２と平行な方向に延びる縦隔壁３４ａとデータ電極３２と交差する方向に設けられた横隔壁３４ｂとからなる格子状の隔壁３４が形成されている。また、データ電極３２は隣り合う縦隔壁３４ａの間に配置されている。
【０００６】
これらの前面板２０と背面板３０とは、走査電極２２および維持電極２３とデータ電極３２とが直交するように、微小な放電空間を挟んで対向配置されるとともに、その外周部がガラスフリット等の封着材（図示せず）によって封着されている。そして放電空間には、例えばネオン（Ｎｅ）とキセノン（Ｘｅ）の混合ガスが放電ガスとして封入されている。
【０００７】
放電空間は、隔壁３４によって走査電極２２および維持電極２３とデータ電極３２とが交差する複数の区画に仕切られており、それぞれの区画が放電セル４０となる。各放電セル４０における下地誘電体層３３上および隔壁３４の壁面には蛍光体層３５が設けられている。
【０００８】
走査電極２２、維持電極２３、データ電極３２にはそれぞれ異なる波形の駆動パルス電圧を印加して各放電セルにガス放電を発生させ、そのガス放電により紫外線を発生させる。そして、その紫外線で赤色（Ｒ）、緑色（Ｇ）および青色（Ｂ）の各色の蛍光体を励起して発光させることによりカラー画像の表示を行う。
【０００９】
図１１は、図１０に示した従来のＰＤＰ１を前面板側から見た平面図である。図１１に示すように、ＰＤＰ１において、放電セル４０は、放電空間が縦隔壁３４ａと横隔壁３４ｂとによって区画されて形成されている。したがって、放電セル４０はその周囲が縦隔壁３４ａおよび横隔壁３４ｂによって囲われており、それら縦隔壁３４ａおよび横隔壁３４ｂの上部面はＰＤＰ１の前面板２０、すなわち表示面側に向けられている。この隔壁３４は、外部から照射される光（以下、「外光」と略記する）の一部をその表面で反射する。そのため、例えばＰＤＰ１の周囲にある照明光等の外光が隔壁３４の上部面で反射されると、その反射光と放電セル４０での発光とが混ざってしまい、不要な光が混合された画像がＰＤＰ１に表示されてしまう。そうすると、ＰＤＰ１に表示されている画像はその反射光の分だけ明るくなってしまい、例えば暗く表示されなければならない領域が本来よりも明るく表示される等してコントラストが低下してしまう。
【００１０】
そのようなコントラストの低下を防ぐことを目的に、黒色材料からなる光吸収層２６が横隔壁３４ｂの上部を隠すようにして表示電極対と表示電極対との間に設けられている。この光吸収層２６により、横隔壁３４ｂの上部面での外光の反射が抑えられて、表示画像のコントラストの低下を防止することができる。
【００１１】
近年、プラズマディスプレイ装置への画質に対する要望はさらに高まっており、はっきりとした見やすい画像を表示することはますます重要となっている。そして、そのような要望に応えるために、縦隔壁３４ａ上にさらに黒色の第２の隔壁を積層して形成し、ＰＤＰの表示面に照射される外光の反射をさらに抑えて表示画像のコントラストをさらに向上させることができる技術が提案されている（例えば、特許文献１を参照）。
【特許文献１】特開平５−９４７７４号公報
【発明の開示】
【発明が解決しようとする課題】
【００１２】
しかしながら、上述した従来技術においては、ＰＤＰの製造工程において、隔壁を２層構造にして形成するために製造工程を新たに追加しなければならないといった課題があった。
【００１３】
本発明は、このような課題に鑑みてなされたものであり、新たな製造工程を追加することなく、隔壁の上部面における反射光を低減して表示画像のコントラストを改善することができるＰＤＰを提供することを目的とする。
【課題を解決するための手段】
【００１４】
このような目的を達成するために、本発明のＰＤＰは、第１の基板上に平行に配置され、表示電極対を構成する複数の走査電極および維持電極と、走査電極および維持電極を覆う誘電体層と、誘電体層を覆う保護層と、放電空間を挟んで第１の基板に対向配置された第２の基板上に走査電極と交差する方向に配置される複数のデータ電極と、データ電極を覆う絶縁層と、絶縁層上に配置され放電空間を区画しデータ電極と表示電極対とを有する放電セルを形成する隔壁とを有し、第１の基板において、隣接する放電セルと放電セルとの境界上に格子状の光吸収層を配置したことを特徴とする。
【００１５】
この構成によれば、新たな製造工程を追加することなく、隔壁の上部面における反射光を低減して表示画像のコントラストを改善するＰＤＰを提供することが可能となる。
【００１６】
また、隔壁は、データ電極と平行な方向に延びる縦隔壁と、縦隔壁と交差するように設けられた横隔壁とによって格子状に形成され、光吸収層は、縦隔壁上および横隔壁上に沿って格子状に形成した構成としてもよい。この構成では、放電セルを区画する縦隔壁および横隔壁の上部面における反射光を格子状に形成された光吸収層によって低減することができるので、表示画像のコントラストを改善することが可能となる。
【００１７】
また、光吸収層は、縦隔壁上または横隔壁上から放電セル上の領域に延長されるように形成した構成としてもよい。この構成では、比較的発光強度が低い放電セル周辺部の領域上にまで光吸収層が延長されて形成されるので、放電セルの発光による表示画像の明るさに実質的な影響を与えることなく、ＰＤＰの表示面における光吸収層の面積の割合を増やし、表示画像のコントラストをさらに改善することが可能となる。
【発明の効果】
【００１８】
本発明によれば、新たな製造工程を追加することなく、隔壁の上部面における反射光を低減して表示画像のコントラストを改善することができるＰＤＰを提供することができる。
【発明を実施するための最良の形態】
【００１９】
以下、本発明の実施の形態によるプラズマディスプレイ装置について、図面を参照しながら説明する。
【００２０】
（実施の形態１）
図１は、本発明の実施の形態１におけるＰＤＰ１０の構造を示す斜視図である。また、図２は、本発明の実施の形態１におけるＰＤＰ１０の背面板３０の構造を示す斜視図である。
【００２１】
図１に示すように、第１の基板であるガラス製の前面板２０上には、ストライプ状の走査電極２２とストライプ状の維持電極２３とで対をなす表示電極が複数形成されている。実施の形態１においては、例えば走査電極２２−維持電極２３の順で構成された表示電極対に隣接する表示電極対も同様に走査電極２２−維持電極２３の順で構成されている。したがって、前面板２０上には、走査電極２２−維持電極２３−走査電極２２−維持電極２３−走査電極２２−維持電極２３−・・・となるように各電極が配列されている。また、走査電極２２および維持電極２３は、例えば酸化インジウムや酸化スズ等からなるＩＴＯ（Ｉｎｄｉｕｍ  Ｔｉｎ  Ｏｘｉｄｅ）等の光透過性の高い導電体を材料とした透明電極２２ａ、２３ａの上に、導電性の高い例えば銀（Ａｇ）等の金属を材料とした金属母線２２ｂ、２３ｂが積層されてそれぞれ形成されており、放電セルでの発光を妨げることなく安定した放電を実現することができるように構成されている。
【００２２】
また、前面板２０上には、ＰＤＰ１０の表示面に画像を発光表示する際のコントラストを高めるために、黒色材料からなり、表示電極対と表示電極対との間に表示電極対と平行に延びた横光吸収層２６ｂと、横光吸収層２６ｂと交差する方向に延びた縦光吸収層２６ａとによって格子状に形成された光吸収層２６が設けられている。そして走査電極２２および維持電極２３と光吸収層２６とを覆うように誘電体層２４が形成され、その誘電体層２４上に保護層２５が形成されている。保護層２５は、放電セルにおける放電開始電圧を下げるために、ＡＣ型ＰＤＰの材料として使用実績があり、ネオン（Ｎｅ）およびキセノン（Ｘｅ）ガスを封入した場合に２次電子放出係数が大きく耐久性に優れた酸化マグネシウム（ＭｇＯ）を主成分とする材料から形成されている。
【００２３】
図１、図２に示すように、第２の基板である背面板３０上には、複数のストライプ状のデータ電極３２と、データ電極３２を覆う絶縁体層としての下地誘電体層３３が形成されている。また、下地誘電体層３３上にはデータ電極３２と平行な方向に延びる縦隔壁３４ａと、この縦隔壁３４ａと交差するように設けられた横隔壁３４ｂとからなる格子状の隔壁３４が形成されている。なお、本実施の形態においては、横隔壁３４ｂは縦隔壁３４ａよりも高さが低く形成されているが、これは、ＰＤＰ製造時の不純ガスを抜きとる工程において、速やかに不純ガスを抜きとることができるようにするためである。また、データ電極３２は隣り合う縦隔壁３４ａの間に配置されている。
【００２４】
これらの前面板２０と背面板３０とは、走査電極２２および維持電極２３とデータ電極３２とが直交するように、かつ縦隔壁３４ａ上に縦光吸収層２６ａが、横隔壁３４ｂ上に横光吸収層２６ｂがそれぞれ配置されるようにして、微小な放電空間を挟んで対向配置されている。そして、その外周部がガラスフリット（図示せず）と呼ばれる鉛ガラス系の材料等からなる封着材によって気密封着されている。
【００２５】
そして放電空間には、例えばネオン（Ｎｅ）やキセノン（Ｘｅ）等からなる混合ガスが放電ガスとして封入されている。
【００２６】
放電空間は、縦隔壁３４ａと横隔壁３４ｂとによって複数の区画に仕切られている。各区画における放電空間に面した下地誘電体層３３上および縦隔壁３４ａと横隔壁３４ｂとの壁面には赤色（Ｒ）、緑色（Ｇ）、青色（Ｂ）でそれぞれ発光する蛍光体層３５が順次設けられている。これにより、走査電極２２および維持電極２３とデータ電極３２とが交差する部分に、周囲を縦隔壁３４ａと横隔壁３４ｂとで囲まれた放電セル４０が形成され、赤色（Ｒ）、緑色（Ｇ）、青色（Ｂ）各色に発光する蛍光体層３５がそれぞれ形成された隣接する３つの放電セル４０により１つの画素が構成される。この画素を構成する放電セル４０が形成された領域が画像表示領域となり、画像表示領域の周囲は、ガラスフリットが形成された領域等のように画像表示が行われない非表示領域となる。
【００２７】
走査電極２２、維持電極２３、データ電極３２はそれぞれの電極端子（図示せず）がガラス基板の端部に引き出されてストライプ状に配列されている。そして、それらの電極端子を介して走査電極２２、維持電極２３、データ電極３２にそれぞれ異なる波形の駆動パルス電圧を印加して各放電セル４０にガス放電を発生させ、そのガス放電により紫外線を発生させる。そして、その紫外線で赤色（Ｒ）、緑色（Ｇ）および青色（Ｂ）の各色の蛍光体を励起して発光させることによりカラー画像の表示を行う。
【００２８】
図３は、本発明の実施の形態１におけるＰＤＰ１０の電極配列図である。行方向にｎ行の走査電極ＳＣ１〜ＳＣｎ（図１の走査電極２２）とｎ行の維持電極ＳＵ１〜ＳＵｎ（図１の維持電極２３）とが交互に配列され、列方向にはｍ列のデータ電極Ｄ１〜Ｄｍ（図１のデータ電極３２）が配列されている。そして、一対の走査電極ＳＣｉ、維持電極ＳＵｉ（ｉ＝１〜ｎ）と１つのデータ電極Ｄｊ（ｊ＝１〜ｍ）とを含む放電セルＣｉ，ｊが放電空間内に形成され、放電セルＣの総数は（ｍ×ｎ）個になる。
【００２９】
ＰＤＰ１０を駆動する方法としてはサブフィールド法、すなわち、１フィールド期間を複数のサブフィールドに分割した上で、発光させるサブフィールドの組み合わせによって階調表示を行う方法を用いる。各サブフィールドは初期化期間、書込み期間および維持期間からなり、放電セル４０を発光させるために、初期化期間、書込み期間および維持期間でそれぞれ異なる信号波形を各電極に印加している。
【００３０】
初期化期間では、全ての放電セルで一斉に初期化放電を行い、それ以前の個々の放電セルに対する壁電荷の履歴を消すとともに、続く書込み動作のために必要な壁電荷を形成する。加えて、初期化放電は、放電遅れを小さくし書込み放電を安定して発生させるためのプライミング（放電のための起爆剤＝励起粒子）を発生させるという働きを持つ。書込み期間では、走査電極に順次走査パルス電圧を印加するとともに、データ電極には表示すべき画像信号に対応した書込みパルス電圧を印加し、走査電極とデータ電極との間で選択的に書込み放電を発生させ、選択的な壁電荷形成を行う。続く維持期間では、走査電極と維持電極との間に所定の回数の維持パルス電圧を印加し、書込み放電による壁電荷形成を行った放電セルを選択的に放電させ発光させる。このようにしてＰＤＰ１０の表示面にカラー画像を発光表示している。
【００３１】
図４は、本発明の実施の形態１におけるＰＤＰ１０の断面図である。そして、図４（ａ）は図２のＸ−Ｘ線に沿ったＰＤＰ１０の断面図であり、図４（ｂ）は図２のＹ−Ｙ線に沿ったＰＤＰ１０の断面図である。
【００３２】
図４（ａ）、（ｂ）に示すように、本発明の実施の形態１においては、ガラス基板である前面板２０上に透明電極２２ａ、２３ａを形成した後、黒色材料によって格子状に形成された光吸収層２６を、横光吸収層２６ｂが透明電極２２ａと透明電極２３ａとの間に配置され、縦光吸収層２６ａが透明電極２２ａ、２３ａ上に積層されるようにして形成する。この光吸収層２６は、例えば以下のようにして形成することができる。まず、感光性の黒色材料からなる黒色ペーストをスクリーン印刷法等により成膜する。次に、所望のパターン（ここでは、格子状のパターン）を有するフォトマスクを介して紫外光を照射して光吸収層２６のパターンを格子状に形成する。最後に、６００℃程度の温度で焼成してペースト中の有機成分を除去する。
【００３３】
金属母線２２ｂ、２３ｂは、光吸収層２６上に積層して形成する。また、金属母線２２ｂ、２３ｂはそれぞれ２層構造であり、金属母線２２ｂ、２３ｂの前面板２０側を光吸収層２６と同じ黒色材料から形成された黒色層とし、放電空間側を例えば銀等の導電性の高い金属材料から形成された金属電極層としている。これにより、金属母線２２ｂ、２３ｂの導電性を高めるとともに、光を反射しやすい金属電極部分が表示面側から見えないようにしている。
【００３４】
そして、それら透明電極２２ａ、２３ａ、縦光吸収層２６ａ、横光吸収層２６ｂ、金属母線２２ｂ、２３ｂを覆うように誘電体層２４を設け、さらにその上を覆うように保護層２５を設ける。誘電体層２４は、無機成分である鉛ホウ珪酸系の低融点ガラス等の粉体と、バインダー成分としてのエチルセルロース樹脂と、溶剤とを混練して所定粘度としたペーストを、印刷法、または塗布法等で、膜厚０．０３〜０．０４ｍｍに塗布し乾燥させてから、焼成することによって形成する。保護層２５は、ＭｇＯを蒸着法やスパッタリング法によって３００〜５００ｎｍの厚さに形成している。
【００３５】
背面板３０は、まず、ガラス基板上に銀等の導電性の高い金属材料からなるデータ電極３２を形成し、その上に誘電体ガラスからなる下地誘電体層３３を形成する。次に、その上に低融点ガラスやフィラー等が混合された絶縁材料からなる隔壁３４をデータ電極３２と平行に延びる縦隔壁３４ａと縦隔壁３４ａに交差する横隔壁３４ｂとによって格子状に形成する。隔壁３４によって区画された各放電セル４０内には、赤色（Ｒ）、緑色（Ｇ）、青色（Ｂ）の各色に発光する蛍光体ペーストを放電セル４０内の底面および壁面に配設して蛍光体層３５を形成する。その後、背面板３０の周囲に前面板２０との封着用ガラスフリットを塗布し、ガラスフリット内の樹脂成分等を除去するために３５０℃程度で焼成してフリット形成を行う。
【００３６】
なお、金属母線２２ｂ、２３ｂの金属電極層およびデータ電極３２については、例えば、銀を主成分とする金属材料等の導電性材料に、感光性材料を含有させた材料を基板全面に塗布し、これを電極パターンを備えたフォトマスクにより露光し、その後、それを現像するフォトリソグラフィ法によってパターニングすることで、所定の位置に所定の形状で形成することができる。また、蛍光体層３５の形成方法には、スクリーン印刷によって形成するスクリーン法、蛍光体シートをラミネートしフォト工程によって所定パターンを形成するフォト法、微細なノズルから蛍光体インクを垂らして塗布するインクジェット法等がある。
【００３７】
そして、本発明の実施の形態１においては、縦隔壁３４ａと横隔壁３４ｂとによって格子状に形成された隔壁３４の上部に、縦光吸収層２６ａと横光吸収層２６ｂとによって格子状に形成された光吸収層２６が配置されるようにして前面板２０と背面板３０とを対向配置している。
【００３８】
すなわち、図４（ａ）に示すように、横光吸収層２６ｂは、表示電極対と表示電極対との間、ここでは維持電極２３を構成する透明電極２３ａと走査電極２２を構成する透明電極２２ａとの間に横隔壁３４ｂと平行に形成され、横隔壁３４ｂの上部を隠すようにして配置されている。そのため、表示面である前面板２０側からＰＤＰ１０を見たときに、横隔壁３４ｂの上部面は横光吸収層２６ｂによって隠されており、これにより横隔壁３４ｂの上部面での反射光を低減することができる。
【００３９】
また、図４（ｂ）に示すように、縦光吸収層２６ａは、透明電極２２ａ、２３ａと金属母線２２ｂ、２３ｂとの間に縦隔壁３４ａと平行に形成され、縦隔壁３４ａの上部を隠すようにして配置されている。そのため、表示面である前面板２０側からＰＤＰ１０を見たときに、縦隔壁３４ａの上部面は縦光吸収層２６ａによって隠されており、これにより縦隔壁３４ａの上部面での反射光を低減することができる。
【００４０】
なお、本実施の形態において、光吸収層２６を形成する黒色材料は絶縁性を有しており、透明電極２２ａと透明電極２３ａとの間に横光吸収層２６ｂが形成されても、横光吸収層２６ｂによって透明電極２２ａと透明電極２３ａとの間が電気的に導通することがないようにしている。しかし、黒色材料上に銀が積層された状態で焼成されると、焼成によって融解した銀のコロイドが黒色材料内に拡散する。したがって、金属母線２２ｂ、２３ｂが絶縁性を有する黒色層と導電性の高い金属電極層との２層構造であっても、金属母線２２ｂ、２３ｂの焼成時に金属電極層の銀のコロイドが黒色層内に拡散して黒色層部分に導電性が生じるので、透明電極２２ａ、２３ａと金属電極層とを電気的に導通させることができる。ただし、焼成時における黒色材料内への銀コロイドの拡散は、比較的狭い領域に留まるため、その導電性は金属電極層が積層された領域等の局所的な領域に限定される。したがって、透明電極２２ａと透明電極２３ａとの間に形成される横光吸収層２６ｂでは絶縁性が確保される。
【００４１】
図５は、本発明の実施の形態１におけるＰＤＰ１０を前面板２０側から見た平面図である。図５に示すように、ＰＤＰ１０においては、放電空間が縦隔壁３４ａと横隔壁３４ｂとによって区画されて放電セル４０が形成されている。したがって、放電セル４０は周囲を縦隔壁３４ａおよび横隔壁３４ｂとによって囲われており、縦隔壁３４ａおよび横隔壁３４ｂの上部面はＰＤＰ１０の前面板２０側、すなわち表示面側に向けられている。
【００４２】
そして、本発明の実施の形態１においては、縦隔壁３４ａの上部面が縦光吸収層２６ａによって、横隔壁３４ｂの上部面が横光吸収層２６ｂによってそれぞれ隠されている。これにより、隔壁３４の上部面での反射光を低減することができ、表示画像への不要な光の混合を低減して表示画像のコントラストを向上させることが可能となる。
【００４３】
以上述べたように、本発明の実施の形態１においては、格子状に形成された隔壁３４と同様の形状とするために、光吸収層２６を縦光吸収層２６ａと横光吸収層２６ｂとで格子状に形成する。そして、縦光吸収層２６ａを縦隔壁３４ａの上部面が隠れるように、横光吸収層２６ｂを横隔壁３４ｂの上部面が隠れるようにして配置する。これにより、横隔壁３４ｂの上部面における反射光のみならず、縦隔壁３４ａの上部面における反射光をも低減して、表示画像のコントラストを向上することができる。また、格子状のパターンを有する光吸収層２６は、感光性の黒色材料からなる黒色ペーストをスクリーン印刷法等により成膜するといった従来の光吸収層の製造工程において、格子状のパターンを有するフォトマスクを介して紫外光を照射することで形成することができるので、従来の製造工程に新たな製造工程を追加することなく形成することができる。
【００４４】
なお、ＰＤＰ１０が高精細化されて画素数が増えると、より多くの放電セル４０を同一表示面積内に形成しなければならなくなる。そのためには、放電セル４０の１つ１つの面積を縮小するだけではなく、放電セル４０と放電セル４０との間隔、すなわち隔壁３４の幅も縮小しなければならない。
【００４５】
図６は、本発明の実施の形態における高精細化されたＰＤＰ１０１を前面板から見た平面図である。図６に示すように、高精細化されたＰＤＰ１０１では、隔壁３４１における横隔壁３４ｂ１の幅を、図５に示した横隔壁３４ｂの幅よりも狭く形成して、放電セル４０と放電セル４０との間隔を詰めている。このように高精細化によって横隔壁３４ｂ１の幅が狭くなってしまうと、光吸収層２６１において、横隔壁３４ｂ１上に形成される横光吸収層２６ｂ１の幅も、図５に示した横光吸収層２６ｂより狭く形成しなければならなくなる。
【００４６】
そのような場合、縦隔壁３４ａの上部面積に対する横隔壁３４ｂ１の上部面積の割合は、図５に示した縦隔壁３４ａの上部面積に対する横隔壁３４ｂの上部面積の割合よりも小さくなってしまう。したがって、高精細化されたＰＤＰの場合、従来のように横光吸収層だけを設けて横隔壁の上部面での反射光だけを低減するような構成では、隔壁の上部面での反射光を十分に低減することができず、表示画像のコントラストは低下してしまう。しかし、本発明の実施の形態では、縦隔壁３４ａの上部面を縦光吸収層２６ａによって隠しているので、図６に示したＰＤＰ１０１のように高精細化によって横隔壁３４ｂ１の幅が狭く形成された構成であっても、隔壁の上部面での反射光を十分に低減して、表示画像のコントラストを向上させることが可能となる。
【００４７】
（実施の形態２）
図７は、ＰＤＰ１０における維持放電の発生の様子と放電の強度を示した図である。
【００４８】
図７に示すように、走査電極２２と維持電極２３との間で発生する維持放電は、放電開始直後は、互いに距離が最も近い対向した透明電極２２ａ端部と透明電極２３ａ端部との間で発生する。しかし、金属母線２２ｂ、２３ｂと比較して体積抵抗率が大きい透明電極２２ａ、２３ａでは、放電によって一度に多くの電流が流れると電圧降下を生じる。放電によって透明電極２２ａ、２３ａに局所的な電圧降下が生じると、透明電極２２ａ、２３ａ上における電圧降下の小さい領域に向かって徐々に放電が広がっていく。やがて、走査電極２２においては透明電極２２ａと金属母線２２ｂとの境界部分にまで、維持電極２３においては透明電極２３ａと金属母線２３ｂとの境界部分にまでそれぞれ放電が広がると、放電の広がりはそこで止まる。これは、金属母線２２ｂ、２３ｂの電気抵抗が比較的小さく、そのために放電によって生じる電圧降下も比較的小さいためと考えられる。
【００４９】
このように、放電セル４０内では、維持放電が一様に発生するわけではなく、放電セル４０の中心付近にあたる走査電極２２と維持電極２３との間では強い放電となり、放電セル４０の周辺部では弱い放電となる。したがって、維持放電が強く発生する放電セル４０の中心付近では発光強度も高くなり、維持放電が弱く発生する放電セル４０の周辺部では発光強度も低くなる。
【００５０】
図８は、本発明の実施の形態２におけるＰＤＰ１０２を前面板側から見た平面図である。なお、実施の形態２に示すＰＤＰ１０２が実施の形態１に示したＰＤＰ１０およびＰＤＰ１０１と異なる点は光吸収層２６２の形状であり、それ以外の構成はＰＤＰ１０およびＰＤＰ１０１と同様であるので、同様の構成要素については同一の符号を付与し説明を省略する。
【００５１】
図７を用いて説明したように、放電セル４０において維持放電による発光は一様ではなく、放電セル４０の中心付近では発光強度は高くなり、放電セル４０の周辺部では発光強度は低くなる。したがって、放電セル４０の周辺部の四隅が光吸収層で隠されていても、放電セル４０における発光強度に与える影響は少なく、表示画像の明るさに実質的な影響を与えない。
【００５２】
そこで、本発明の実施の形態２においては、放電セル４０の比較的放電が弱い領域上を光吸収層で隠す構成とする。すなわち、光吸収層２６２の横光吸収層２６ｂ２を、縦隔壁３４ａと横隔壁３４ｂ１とが交差する領域から、発光強度が比較的低い放電セル４０の周辺四隅の上を隠す領域にまで延長して形成する。
【００５３】
これにより、表示面側からＰＤＰ１０２を見たときの放電セル４０の開口部分（光吸収層２６２で隠されていない部分）の形状は略六角形または略八角形となり、発光強度の強い放電セル４０の中心付近での発光に関して何ら影響を与えることなく、ＰＤＰ１０２の表示面における光吸収層２６２の面積の割合を増やすことができる。光吸収層２６２は黒色であるため、光吸収層２６２の設置面積が増えることでＰＤＰ表示面における黒色部分の面積が増え、外光の反射をさらに抑えることができ、表示画像におけるコントラストをさらに高めることができる。
【００５４】
このように、本発明の実施の形態２においては、ＰＤＰに表示される画像の明るさに関して実質的に影響を与えることなく光吸収層の設置面積を増やすことができるので、隔壁の上部面での反射光の低減に加えてさらに外光の反射を低減することができ、表示画像のコントラストをさらに高めることが可能となる。
【００５５】
なお、図８では、光吸収層の形状の例として、放電セル４０の開口部分の形状が略六角形または略八角形となるような構成を説明したが、何らこの形状に限定されるものではなく、例えば、放電セル４０の開口部分の形状が楕円形になるように光吸収層を形成してもよい。
【００５６】
図９は、本発明の実施の形態２におけるＰＤＰの光吸収層の他の形状の例を示す平面図である。なお、図９に示すＰＤＰ１０３が図８に示したＰＤＰ１０２と異なる点は光吸収層２６３の形状であり、それ以外の構成はＰＤＰ１０２と同様である。
【００５７】
例えば、図９に示すように、光吸収層２６３の横光吸収層２６ｂ３を、横隔壁３４ｂ１上から金属母線２２ｂ、２３ｂを隠す領域まで延長して形成してもよい。このような構成であっても、ＰＤＰ１０３に表示される画像の明るさに関して実質的に影響を与えることなく、表示画像のコントラストをさらに高めることが可能となる。
【００５８】
なお、本発明の実施の形態２においては、光吸収層の形状を単なる格子状ではなく、比較的複雑な形状にして構成する例を説明したが、本発明の実施の形態では、感光性の黒色材料からなる黒色ペーストをスクリーン印刷法等により成膜するといった従来の光吸収層の製造工程において、所望のパターンを有するフォトマスクを介して紫外光を照射することで光吸収層の形状を決定しているので、上述したような複雑な形状の光吸収層であっても、新たな製造工程を追加することなく比較的容易に形成することが可能となる。
【００５９】
なお、本発明の実施の形態においては、縦光吸収層および横光吸収層の幅に関して特に規定していないが、これらの数値はＰＤＰのパネルサイズや画素数、仕様等、特に縦隔壁、横隔壁の幅によって異なるため、機種毎に最適化することが望ましい。
【００６０】
また、本発明の実施の形態においては、横隔壁の上部面を隠すように横光吸収層を形成する構成を説明したが、例えば横隔壁を形成しないようなＰＤＰであっても、放電セルと放電セルとの境界領域の上部に横光吸収層を形成する構成とすることで、上述と同様の効果を得ることができる。
【００６１】
また、本発明の実施の形態においては、金属母線２２ｂ、２３ｂを黒色層と金属電極層との２層構造とした例を説明したが、何らこの構成に限定されるものではなく、金属電極層１層だけで金属母線２２ｂ、２３ｂを形成するような構成であっても、本発明の実施の形態は有効である。
【産業上の利用可能性】
【００６２】
本発明に係るＰＤＰは、新たな製造工程を追加することなく、隔壁の上部面における反射光を低減して表示画像のコントラストを改善することができるので、ＰＤＰおよびプラズマディスプレイ装置として有用である。
【図面の簡単な説明】
【００６３】
【図１】本発明の実施の形態１におけるＰＤＰの構造を示す斜視図
【図２】同ＰＤＰの背面板構造を示す斜視図
【図３】同ＰＤＰの電極配列図
【図４】同ＰＤＰの断面図
【図５】同ＰＤＰを前面板側から見た平面図
【図６】本発明の実施の形態１における高精細化されたＰＤＰを前面板から見た平面図
【図７】ＰＤＰにおける維持放電の発生の様子と放電の強度を示した図
【図８】本発明の実施の形態２におけるＰＤＰを前面板側から見た平面図
【図９】同ＰＤＰの光吸収層の他の形状の例を示す平面図
【図１０】従来のＰＤＰの構造を示す斜視図
【図１１】同ＰＤＰを前面板側から見た平面図
【符号の説明】
【００６４】
１，１０，１０１，１０２，１０３    プラズマディスプレイパネル（ＰＤＰ）
２０    （ガラス製の）前面板
２２    走査電極
２２ａ，２３ａ    透明電極
２２ｂ，２３ｂ    金属母線
２３    維持電極
２４    誘電体層
２５    保護層
２６，２６１，２６２，２６３    光吸収層
２６ａ    縦光吸収層
２６ｂ，２６ｂ１，２６ｂ２，２６ｂ３    横光吸収層
３０    背面板
３２    データ電極
３３    下地誘電体層
３４，３４１    隔壁
３４ａ    縦隔壁
３４ｂ，３４ｂ１    横隔壁
３５    蛍光体層
４０    放電セル
【図１】
2007134264.tif 000003
【図２】
2007134264.tif 000004
【図３】
2007134264.tif 000005
【図４】
2007134264.tif 000006
【図５】
2007134264.tif 000007
【図６】
2007134264.tif 000008
【図７】
2007134264.tif 000009
【図８】
2007134264.tif 000010
【図９】
2007134264.tif 000011
【図１０】
2007134264.tif 000012
【図１１】
2007134264.tif 000013